【手続補正書】
【提出日】平成18年8月21日(2006.8.21)
【手続補正１】
【補正対象書類名】特許請求の範囲
【補正対象項目名】全文
【補正方法】変更
【補正の内容】
【特許請求の範囲】
【請求項１】
検出された呼吸音データを解析処理するための音データ処理装置において、
前記呼吸音データに対し、予め設定された複数の異なる長さの時間区分に基づいてＦＦＴ（Fast Fourier Transform）処理して当該呼吸音データに係るパワースペクトルを含む複数のスペクトル情報を算出するスペクトル情報取得手段と、
前記算出された複数のスペクトル情報を解析処理するスペクトル情報解析手段と、
前記複数の解析結果に基づいて、前記呼吸音データが表す音に含まれる異常音を検出する異常音検出手段と、
前記呼吸音データを、一呼吸を構成する呼気に対応する呼吸音データと、吸気に対応する呼吸音データとに分別する呼気吸気分別手段と、
を備え、
前記スペクトル情報取得手段は、
前記ＦＦＴ処理の際に用いる前記時間区分の長さを、前記一呼吸分の呼吸時間に基づいて設定することを特徴とする音データ処理装置。
【請求項２】
検出された呼吸音データを解析処理するための音データ処理装置において、
前記呼吸音データに対し、予め設定された長さの時間区分に基づいてＦＦＴ処理して当該呼吸音データに係るパワースペクトルを含むスペクトル情報を算出するスペクトル情報取得手段と、
前記算出されたスペクトル情報を解析処理するスペクトル情報解析手段と、
前記解析結果に基づいて、前記呼吸音データが表す音に含まれる異常音を検出する異常音検出手段と、
前記呼吸音データを、一呼吸を構成する呼気に対応する呼吸音データと、吸気に対応する呼吸音データとに分別する呼気吸気分別手段と、
を備え、
前記スペクトル情報取得手段は、
前記ＦＦＴ処理の際に用いる前記時間区分の長さを、前記一呼吸分の呼吸時間に基づいて設定することを特徴とする音データ処理装置。
【請求項３】
前記スペクトル情報取得手段は、
前記呼気、吸気の各々に対応する呼吸音データ毎にスペクトル情報を算出し、
前記スペクトル情報解析手段は、
前記呼気、吸気の各々に対応するスペクトル情報毎に解析処理を行い、
前記異常音検出手段は、
前記呼気、吸気毎に行われる解析結果に基づいて呼気、吸気毎に異常音を検出することを特徴とする請求項１又は２に記載の音データ処理装置。
【請求項４】
前記スペクトル情報解析手段は、
前記スペクトル情報に対しケプストラム（cepstrum）法を用いてスペクトル包絡（spectral envelope）を算出し、
前記異常音検出手段は、
前記算出されたスペクトル包絡と当該スペクトル情報とからフォルマント（formant）を検出し、当該検出したフォルマントに基づいて前記異常音を検出することを特徴とする請求項１〜３の何れか一項に記載の音データ処理装置。
【請求項５】
入力されたアナログ形式の呼吸音信号を、予め設定されたサンプリング間隔に基づいてデジタル化して前記呼吸音データに変換するＡ／Ｄ変換手段を更に備えたことを特徴とする請求項１〜４の何れか一項に記載の音データ処理装置。
【請求項６】
前記Ａ／Ｄ変換手段は、
異常音の種類に応じて予めメモリに格納された複数のサンプリング間隔に基づいてデジタル化を行うことを特徴とする請求項５に記載の音データ処理装置。
【請求項７】
前記スペクトル情報取得手段は、
異常音の種類に応じて予めメモリに格納された複数の時間区分に基づいてＦＦＴ処理することを特徴とする請求項１〜６の何れか一項に記載の音データ処理装置。
【請求項８】
検出された呼吸音データを解析処理するためのコンピュータに、
前記呼吸音データに対し、予め設定された複数の異なる長さの時間区分に基づいてＦＦＴ処理して当該呼吸音データに係るパワースペクトルを含む複数のスペクトル情報を算出する機能と、
前記算出された複数のスペクトル情報を解析処理する機能と、
前記複数の解析結果に基づいて、前記呼吸音データが表す音に含まれる異常音を検出する機能と、
前記呼吸音データを、一呼吸を構成する呼気に対応する呼吸音データと、吸気に対応する呼吸音データとに分別する機能と、
前記ＦＦＴ処理の際に用いる前記時間区分の長さを、前記一呼吸分の呼吸時間に基づいて設定する機能と、
を実現させるためのプログラム。
【請求項９】
検出された呼吸音データを解析処理するためのコンピュータに、
前記呼吸音データに対し、予め設定された長さの時間区分に基づいてＦＦＴ処理して当該呼吸音データに係るパワースペクトルを含むスペクトル情報を算出する機能と、
前記算出されたスペクトル情報を解析処理する機能と、
前記解析結果に基づいて、前記呼吸音データが表す音に含まれる異常音を検出する機能と、
前記呼吸音データを、一呼吸を構成する呼気に対応する呼吸音データと、吸気に対応する呼吸音データとに分別する機能と、
前記ＦＦＴ処理の際に用いる前記時間区分の長さを、前記一呼吸分の呼吸時間に基づいて設定する機能と、
を実現させるためのプログラム。
【請求項１０】
前記コンピュータに、
前記呼気、吸気の各々に対応する呼吸音データ毎にスペクトル情報を算出する機能と、
前記呼気、吸気の各々に対応するスペクトル情報毎に解析処理を行う機能と、
前記呼気、吸気毎に行われる解析結果に基づいて呼気、吸気毎に異常音を検出する機能と、
を更に実現させるための請求項８又は９に記載のプログラム。
【請求項１１】
前記コンピュータに、
前記スペクトル情報に対しケプストラム法を用いてスペクトル包絡を算出する機能と、
前記算出されたスペクトル包絡と当該スペクトル情報とからフォルマントを検出し、当該検出したフォルマントに基づいて前記異常音を検出する機能と、
を更に実現させるための請求項８〜１０の何れか一項に記載のプログラム。
【請求項１２】
前記コンピュータに、
入力されたアナログ形式の呼吸音信号を、予め設定されたサンプリング間隔に基づいてデジタル化して前記呼吸音データに変換する機能を更に実現させるための請求項８〜１１の何れか一項に記載のプログラム。
【請求項１３】
前記コンピュータに、
異常音の種類に応じて予めメモリに格納された複数のサンプリング間隔に基づいてデジタル化を行う機能を更に実現させるための請求項１２に記載のプログラム。
【請求項１４】
前記コンピュータに、
異常音の種類に応じて予めメモリに格納された複数の時間区分に基づいてＦＦＴ処理する機能を更に実現させるための請求項８〜１３の何れか一項に記載のプログラム。
【手続補正２】
【補正対象書類名】明細書
【補正対象項目名】０００１
【補正方法】変更
【補正の内容】
【０００１】
本発明は、呼吸音等の音データを解析処理するための音データ処理装置及びプログラムに関する。
【手続補正３】
【補正対象書類名】明細書
【補正対象項目名】０００８
【補正方法】変更
【補正の内容】
【０００８】
上記課題を解決するため、請求項１に記載の発明は、検出された呼吸音データを解析処理するための音データ処理装置において、前記呼吸音データに対し、予め設定された複数の異なる長さの時間区分に基づいてＦＦＴ処理して当該呼吸音データに係るパワースペクトルを含む複数のスペクトル情報を算出するスペクトル情報取得手段と、前記算出された複数のスペクトル情報を解析処理するスペクトル情報解析手段と、前記複数の解析結果に基づいて、前記呼吸音データが表す音に含まれる異常音を検出する異常音検出手段と、前記呼吸音データを、一呼吸を構成する呼気に対応する呼吸音データと、吸気に対応する呼吸音データとに分別する呼気吸気分別手段と、を備え、前記スペクトル情報取得手段は、前記ＦＦＴ処理の際に用いる前記時間区分の長さを、前記一呼吸分の呼吸時間に基づいて設定することを特徴とする。
【手続補正４】
【補正対象書類名】明細書
【補正対象項目名】０００９
【補正方法】変更
【補正の内容】
【０００９】
請求項２に記載の発明は、検出された呼吸音データを解析処理するための音データ処理装置において、前記呼吸音データに対し、予め設定された長さの時間区分に基づいてＦＦＴ処理して当該呼吸音データに係るパワースペクトルを含むスペクトル情報を算出するスペクトル情報取得手段と、前記算出されたスペクトル情報を解析処理するスペクトル情報解析手段と、前記解析結果に基づいて、前記呼吸音データが表す音に含まれる異常音を検出する異常音検出手段と、前記呼吸音データを、一呼吸を構成する呼気に対応する呼吸音データと、吸気に対応する呼吸音データとに分別する呼気吸気分別手段と、を備え、前記スペクトル情報取得手段は、前記ＦＦＴ処理の際に用いる前記時間区分の長さを、前記一呼吸分の呼吸時間に基づいて設定することを特徴とする。
【手続補正５】
【補正対象書類名】明細書
【補正対象項目名】００１０
【補正方法】変更
【補正の内容】
【００１０】
請求項３に記載の発明は、請求項１又は２に記載の音データ処理装置において、前記スペクトル情報取得手段は、前記呼気、吸気の各々に対応する呼吸音データ毎にスペクトル情報を算出し、前記スペクトル情報解析手段は、前記呼気、吸気の各々に対応するスペクトル情報毎に解析処理を行い、前記異常音検出手段は、前記呼気、吸気毎に行われる解析結果に基づいて呼気、吸気毎に異常音を検出することを特徴とする。
【手続補正６】
【補正対象書類名】明細書
【補正対象項目名】００１１
【補正方法】変更
【補正の内容】
【００１１】
請求項４に記載の発明は、請求項１〜３の何れか一項に記載の音データ処理装置において、前記スペクトル情報解析手段は、前記スペクトル情報に対しケプストラム法を用いてスペクトル包絡を算出し、前記異常音検出手段は、前記算出されたスペクトル包絡と当該スペクトル情報とからフォルマントを検出し、当該検出したフォルマントに基づいて前記異常音を検出することを特徴とする。
【手続補正７】
【補正対象書類名】明細書
【補正対象項目名】００１２
【補正方法】変更
【補正の内容】
【００１２】
請求項５に記載の発明は、請求項１〜４の何れか一項に記載の音データ処理装置において、入力されたアナログ形式の呼吸音信号を、予め設定されたサンプリング間隔に基づいてデジタル化して前記呼吸音データに変換するＡ／Ｄ変換手段を更に備えたことを特徴とする。
【手続補正８】
【補正対象書類名】明細書
【補正対象項目名】００１３
【補正方法】変更
【補正の内容】
【００１３】
請求項６に記載の発明は、請求項５に記載の音データ処理装置において、前記Ａ／Ｄ変換手段は、異常音の種類に応じて予めメモリに格納された複数のサンプリング間隔に基づいてデジタル化を行うことを特徴とする。
【手続補正９】
【補正対象書類名】明細書
【補正対象項目名】００１４
【補正方法】変更
【補正の内容】
【００１４】
請求項７に記載の発明は、請求項１〜６の何れか一項に記載の音データ処理装置において、前記スペクトル情報取得手段は、異常音の種類に応じて予めメモリに格納された複数の時間区分に基づいてＦＦＴ処理することを特徴とする。
【手続補正１０】
【補正対象書類名】明細書
【補正対象項目名】００１５
【補正方法】変更
【補正の内容】
【００１５】
請求項８に記載の発明は、検出された呼吸音データを解析処理するためのコンピュータに、前記呼吸音データに対し、予め設定された複数の異なる長さの時間区分に基づいてＦＦＴ処理して当該呼吸音データに係るパワースペクトルを含む複数のスペクトル情報を算出する機能と、前記算出された複数のスペクトル情報を解析処理する機能と、前記複数の解析結果に基づいて、前記呼吸音データが表す音に含まれる異常音を検出する機能と、前記呼吸音データを、一呼吸を構成する呼気に対応する呼吸音データと、吸気に対応する呼吸音データとに分別する機能と、前記ＦＦＴ処理の際に用いる前記時間区分の長さを、前記一呼吸分の呼吸時間に基づいて設定する機能と、を実現させるためのプログラムである。
【手続補正１１】
【補正対象書類名】明細書
【補正対象項目名】００１６
【補正方法】変更
【補正の内容】
【００１６】
請求項９に記載の発明は、検出された呼吸音データを解析処理するためのコンピュータに、前記呼吸音データに対し、予め設定された長さの時間区分に基づいてＦＦＴ処理して当該呼吸音データに係るパワースペクトルを含むスペクトル情報を算出する機能と、前記算出されたスペクトル情報を解析処理する機能と、前記解析結果に基づいて、前記呼吸音データが表す音に含まれる異常音を検出する機能と、前記呼吸音データを、一呼吸を構成する呼気に対応する呼吸音データと、吸気に対応する呼吸音データとに分別する機能と、前記ＦＦＴ処理の際に用いる前記時間区分の長さを、前記一呼吸分の呼吸時間に基づいて設定する機能と、を実現させるためのプログラムである。
【手続補正１２】
【補正対象書類名】明細書
【補正対象項目名】００１７
【補正方法】変更
【補正の内容】
【００１７】
請求項１０に記載の発明は、請求項８又は９に記載のプログラムにおいて、前記コンピュータに、前記呼気、吸気の各々に対応する呼吸音データ毎にスペクトル情報を算出する機能と、前記呼気、吸気の各々に対応するスペクトル情報毎に解析処理を行う機能と、前記呼気、吸気毎に行われる解析結果に基づいて呼気、吸気毎に異常音を検出する機能と、を更に実現させる。
【手続補正１３】
【補正対象書類名】明細書
【補正対象項目名】００１８
【補正方法】変更
【補正の内容】
【００１８】
請求項１１に記載の発明は、請求項８〜１０の何れか一項に記載のプログラムにおいて、前記コンピュータに、前記スペクトル情報に対しケプストラム法を用いてスペクトル包絡を算出する機能と、前記算出されたスペクトル包絡と当該スペクトル情報とからフォルマントを検出し、当該検出したフォルマントに基づいて前記異常音を検出する機能と、を更に実現させる。
【手続補正１４】
【補正対象書類名】明細書
【補正対象項目名】００１９
【補正方法】変更
【補正の内容】
【００１９】
請求項１２に記載の発明は、請求項８〜１１の何れか一項に記載のプログラムにおいて、前記コンピュータに、入力されたアナログ形式の呼吸音信号を、予め設定されたサンプリング間隔に基づいてデジタル化して前記呼吸音データに変換する機能を更に実現させる。
【手続補正１５】
【補正対象書類名】明細書
【補正対象項目名】００２０
【補正方法】変更
【補正の内容】
【００２０】
請求項１３に記載の発明は、請求項１２に記載のプログラムにおいて、前記コンピュータに、異常音の種類に応じて予めメモリに格納された複数のサンプリング間隔に基づいてデジタル化を行う機能を更に実現させる。
【手続補正１６】
【補正対象書類名】明細書
【補正対象項目名】００２１
【補正方法】変更
【補正の内容】
【００２１】
請求項１４に記載の発明は、請求項８〜１３の何れか一項に記載のプログラムにおいて、前記コンピュータに、異常音の種類に応じて予めメモリに格納された複数の時間区分に基づいてＦＦＴ処理する機能を更に実現させる。
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】